(57)【要約】      （修正有）【課題】河川改修工事等の現場から流出する汚濁水を、組立枠体に吊り下げられた織物よりなる濾過袋体によって、汚濁水を濾過して濾過袋体の内部に汚泥のみを残積することを特徴とする組立式濁水濾過装置に関する。【解決手段】濾過槽本体１を、組立枠体と濾過袋体３とより構成し、組立枠体は、縦管体５と横管体６を以って略方形状に形成する。横管体は縦管体より外方に突条部４を設け、濾過袋体は織物で略方形状に構成され、その四隅には、横管体に設けた突条部に掛吊りする吊り下げベルト９と、上部にホース等を挿入する注入孔１１を形成した構成となっている。【選択図】図１
0003135695.tif 000002
【実用新案登録請求の範囲】
【請求項１】
濾過槽本体（１）は、組立枠体（２）と、濾過袋体（３）を以って組立自在に構成され、該組立枠体（２）は、縦管体（５）（５）と横管体（６）（６）を以って略方形状に形成し、且つ該横管体（６）（６）の両端は該縦管体（５）（５）より外方に突出する突条部（４）（４）を構成し、該濾過袋体（３）は、糸条の織物によって略方形状の織袋（８）に形成され、且つ該濾過袋体（３）には、上部の四隅に吊り下げベルト（９）（９）…を装設すると共に、上部の所定個所にホース等を挿入する注入口（１１）を形成した事を特徴とする組立式濁水濾過装置。
【請求項２】
請求項１における該濾過袋体（３）には、該織袋（８）の内部に内側織袋（１０）を二重に収納した事を特徴とする請求項１の組立式濁水濾過装置。
【考案の詳細な説明】
【技術分野】
【０００１】  本考案は、河川改修工事等における現場から流出する汚濁水を組立式の枠体に吊り下げた濾過袋体に汚濁水を高圧注水することで、各所に組立設置した濾過槽によって水分のみを流下して汚泥のみを残置して回収する事を特徴とした組立式濁水濾過装置に関するものである。
【背景技術】
【０００２】  従来、この種の汚泥を分離する装置としては、設置型の一方より隔壁を介してフィルター等を以って順次濾過するもの、又は、縦型の濾過槽の上部より汚水を注入し、途中のフィルターによって濾過し、清水として排水し、槽内に汚泥を残置し、後で処分するものが一般的に実施されている現状である。
【考案の開示】
【考案が解決しようとする課題】
【０００３】  上記従来の濁水濾過装置において、前者の設置型の濾過槽では、広い設置場所が必要であると共に、内部に仕切壁及び濾材等を用いるため、構造が大変複雑となり、高価であると云う問題点もある。また、後者の縦型の濾過槽も設置型の同様な構造であって、内部に数段の仕切板等と各種の濾材が必要であると共に、汚泥の処理作業が大変に面倒である等の問題点がある。
本考案は上記従来の問題点を解決するものであって、その主たる目的とする所は、設置場所を自由に移動できると共に、機械設備及び動力源を不要とし、且つ濾過材や各種のフィルター等を使用せず、更に、濾過槽本体を移動場所が自由な組立自在の枠体を使用し、汚泥を蓄積して処分する織物よりなる折畳みされている濾過袋体を該組立枠体に着脱自在に吊り下げ、濾過袋体に汚泥が蓄積されたら、濾過袋体を組立枠体より取り外して、簡単に廃棄処分が出来るものである組立式濁水濾過装置を提供するものである。
【課題を解決するための手段】
【０００４】  本考案は、上記の各目的を達成するために、濾過槽本体は、組立枠体と濾過袋体を以って各所に組立自在に構成されるものである。該組立枠体は、数本の縦管体と横管体とにより略方形状に組立される。且つ横管体には、両端を縦管体より突出した突条部を形成してある。
また、該濾過袋体は、織物を縫製されて略方形状に形成され、その上部の四隅に吊り下げベルトを設け、該吊り下げベルトを該横管体の突条部に吊り下げるものである。
更に、該濾過袋体には、内部に各種の布袋等を二重に収納して各種の濁水等に対応するものである。
【考案の効果】
【０００５】  本考案によれば、従来のものと相違して、大型の設備と広い場所を必要とせず、且つ動力源と複雑な機材を使用しないので、非常に安価に提供できる経済的に優れた効果がある。そして、濾過槽本体を組立枠体と濾過袋体の２種類の部品で容易に組立てられる効果と、組立枠体は分解自在であるので各所に移動が自由であると共に、組立設置が容易にできる効果がある。また該濾過袋体は、布製であるので折畳みが可能であるため著しく小型化され、内部に汚泥が沈殿収納された時には、濾過袋体をそのまま廃棄すればよく、作業が著しく簡単となる効果がある。
さらに、該濾過袋体の上部四隅に設置された吊り下げベルトによっては、横管体の突出した突条部に対して簡単に係止又は離脱ができるので、大変に便利な効果がある。
また、該濾過袋体には、内部に織袋を収納して二重としたことにより、微小な濁水に対しても充分に濾過して汚泥を収納できる効果がある。
【考案を実施するための最良の形態】
【０００６】  上記のように構成されている組立式濁水濾過装置によれば、河川工事等の工事現場において設置場所を自由に選定し、先ず組立枠体（２）を縦管体（５）及び横管体（６）を実施例の如く方形状に組立てし、濾過袋体（３）は、広げて吊り下げベルト（９）（９）を該組立枠体（２）の横管体（６）（６）に掛け吊り下げる。該濾過袋体（３）は、上部の注入孔（１１）より内部に濁水を高圧注水することにより、該濾過袋体（３）の内部の織袋（８）が濁水のフィルター作用をして汚泥を蓄積させ、該織袋（８）が充満されたら新規の濾過袋体（３）を取換えするものである。
【実施例】
【０００７】  次に、本考案の実施例を図面について説明すると、図１に示す実施例のものは、濾過槽本体（１）の全体を示すもので、該濾過槽本体（１）は、組立式の組立枠体（２）と、濾過の役目を果す濾過袋体（３）は織物製よりなる織袋（８）を以って形成する。
該組立枠体（２）は、図２に示すように、支柱となる縦管体（５）（５）を以って方形状に立設され、該縦管体（５）（５）には、上下２ヶ所に横管体（６）（６）を以って方形状に枠組みする。且つ該横管体（６）（６）は、該縦管体（５）（５）に対して各種の着脱自在の留め金具（７）（７）を以って締着してある。なお、該横管体（６）（６）の両端部は、該縦管体（５）（５）の外側に突出する突条部（４）（４）を形成してある。
次に、該濾過袋体（３）には、図３に示す如く、上面の一部に濁水を送水するホース等を挿着する大小各種の注入孔（１１）を形成してある。また、該濾過袋体（３）には、上部の四隅に環状となる吊り下げベルト（９）（９）…を装着してある。該吊り下げベルト（９）（９）は、各種の織製より構成され、該横管体（６）（６）の該突条部（４）（４）に着脱自在に掛けて吊り下げるようになっている。
更に、該濾過袋体（３）には、内部に濁水の種類に応じて織製等よりなる内側織袋（１０）を二重に内挿し、二重の濾過袋体（３）を構成するものである。図４に示すものは、濾過袋体（３）の二重袋状にした内部を示したものである。なお、（１２）は、縦管体（５）（５）の下端に設けた安定台を示したものである。
【図面の簡単な説明】
【０００８】
【図１】  本考案の全体を斜状より見た全体斜面図である。
【図２】  本考案の組立枠体の斜面図である。
【図３】  本考案の濾過袋体の膨出した状態の全体斜面図である。
【図４】  本考案の図３のＡ−Ａ線の縦断側面図である。
【符号の説明】
【０００９】１          濾過槽本体
２          組立枠体
３          濾過袋体
４          突条部
５          縦管体
６          横管体
７          留め金具
８          織袋
９          吊り下げベルト
１０        内側織袋
１１        注入孔
１２        安定台
【図１】
0003135695.tif 000003
【図２】
0003135695.tif 000004
【図３】
0003135695.tif 000005
【図４】
0003135695.tif 000006